【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
入力画像に基づいて左目用画像及び右目用画像を取得する画像取得手段と、
ＯＳＤ画像を記憶する記憶手段と、
前記記憶手段により記憶されるＯＳＤ画像に基づき、左目用ＯＳＤ画像及び右目用ＯＳＤ画像の少なくとも一方を取得するＯＳＤ画像取得手段と、
前記画像取得手段により取得された左目用画像及び右目用画像に対し、前記ＯＳＤ画像取得手段により取得されたＯＳＤ画像を重畳して画像を生成する画像合成手段と、
前記画像合成手段により生成された画像を表示する表示手段と、
を備えたことを特徴とする表示装置。
【請求項２】
前記入力画像が左目用画像及び右目用画像を含む立体画像である場合に、前記入力画像の画像フォーマットを判定する判定手段をさらに備え、
前記ＯＳＤ画像取得手段は、左目用ＯＳＤ画像及び右目用ＯＳＤ画像を取得し、
前記画像合成手段は、前記判定手段により判定された画像フォーマットに基づいて、前記入力画像に含まれる左目用画像及び右目用画像に対し、前記ＯＳＤ画像取得手段により取得された左目用ＯＳＤ画像及び右目用ＯＳＤ画像をそれぞれ重畳して立体画像を生成することを特徴とする請求項１記載の表示装置。
【請求項３】
前記判定手段は、前記入力画像または前記入力画像の一部が左目用画像であるか右目用画像であるかを判定し、
前記画像合成手段は、前記判定手段により左目用画像と判定された画像には左目用ＯＳＤ画像を重畳し、前記判定手段により右目用画像と判定された画像には右目用ＯＳＤ画像を重畳して、立体画像を生成することを特徴とする請求項２記載の表示装置。
【請求項４】
前記画像取得手段は、前記入力画像が平面画像である場合に、前記入力画像を複製し、一方を左目用画像、他方を右目用画像として取得することを特徴とする請求項１記載の表示装置。
【請求項５】
前記ＯＳＤ画像取得手段は、前記記憶手段により予め記憶される左目用ＯＳＤ画像及び右目用ＯＳＤ画像を読み出すことを特徴とする請求項１から４のいずれかに記載の表示装置。
【請求項６】
前記入力画像が平面画像である場合に、
前記ＯＳＤ画像取得手段は、前記記憶手段により予め記憶される左目用ＯＳＤ画像及び右目用ＯＳＤ画像のいずれか一方を読み出し、
前記画像合成手段は、前記入力画像と、前記ＯＳＤ画像取得手段により読み出されたＯＳＤ画像とを重畳することにより前記画像を生成することを特徴とする請求項１記載の表示装置。
【請求項７】
前記ＯＳＤ画像取得手段は、前記記憶手段により予め記憶され平面画像であるＯＳＤ画像に基づいて左目用ＯＳＤ画像及び右目用ＯＳＤ画像を生成することを特徴とする請求項１から４のいずれかに記載の表示装置。
【請求項８】
予め記憶されるＯＳＤ画像に基づき、左目用ＯＳＤ画像及び右目用ＯＳＤ画像の少なくとも一方を取得し、
入力画像に基づき取得した左目用画像及び右目用画像に対し、取得されたＯＳＤ画像を重畳して画像を生成し、
生成された画像を表示することを特徴とする表示装置の制御方法。
【請求項９】
表示装置を制御するコンピューターが実行可能なプログラムであって、
前記コンピューターを、
入力画像に基づいて左目用画像及び右目用画像を取得する画像取得手段と、
記憶手段により記憶されるＯＳＤ画像に基づき、左目用ＯＳＤ画像及び右目用ＯＳＤ画像の少なくとも一方を取得するＯＳＤ画像取得手段と、
前記画像取得手段により取得された左目用画像及び右目用画像に対し、前記ＯＳＤ画像取得手段により取得されたＯＳＤ画像を重畳して画像を生成する画像合成手段と、
前記画像合成手段により生成された画像を表示手段により表示させる制御手段と、
して機能させることを特徴とするプログラム。
【手続補正２】
【補正対象書類名】明細書
【補正対象項目名】００２５
【補正方法】変更
【補正の内容】
【００２５】
図３は、画像合成部２４が入力映像にＯＳＤ画像を重畳する処理の一例を示す模式図であり、具体的にはラインオルタナティブ形式の入力映像を処理する場合の例である。図３Ａは画像合成部２４が生成するＯＳＤ画像を示し、図３ＢはＯＳＤ画像を入力映像に重畳した画像を示す。
ラインオルタナティブ形式の立体映像は、水平ライン毎に右目用の画像と左目用の画像とが交互に配置されている。この画像に適合させるため、画像読出部２３は、ＯＳＤ画像用メモリー３のメモリーＡから左目用ＯＳＤ画像３１を１ライン分読み出して画像合成部２４に出力し、続いてＯＳＤ画像用メモリー３のメモリーＢから右目用ＯＳＤ画像３２を１ライン分読み出して画像合成部２４に出力し、この動作を繰り返すことにより左目用ＯＳＤ画像３１と右目用ＯＳＤ画像３２とを交互に出力する。画像合成部２４は、画像読出部２３から１ラインずつ交互に入力される左目用ＯＳＤ画像３１と右目用ＯＳＤ画像３２とを組み合わせて、図３Ａに示すＯＳＤ画像３３を生成し、これをラインオルタナティブ形式の入力映像に重畳して、図３Ｂに示す表示画像１０１を生成する。表示画像１０１は、ライン毎に右目用のフレームと左目用のフレームとが交互に配置されたラインオルタナティブ形式の立体映像の中央に、ＯＳＤ画像３３が重畳された画像である。ＯＳＤ画像３３を構成する右目用ＯＳＤ画像３２は、表示画像１０１の右目用のフレームに重なっており、左目用ＯＳＤ画像３１は、左目用のフレームのラインに重なっている。ここで、画像合成部２４は、画像判定部２２から入力される判定結果に基づいて各ラインが左目用のフレームであるか右目用のフレームであるかを区別するので、左右のフレームを取り違えて処理するおそれはない。
【手続補正３】
【補正対象書類名】明細書
【補正対象項目名】００３８
【補正方法】変更
【補正の内容】
【００３８】
図７Ｄには、立体の入力映像に平面表示のＯＳＤ画像を重畳してスクリーンＳＣに投射した例を示す。この場合、図７Ａを参照して説明したのと同様に、画像読出部２３は左目用ＯＳＤ画像３１のみをＯＳＤ画像用メモリー３から読み出し、画像合成部２４により左目用ＯＳＤ画像３１が左目用のフレームと右目用のフレームの両方に重畳される。
このような表示態様を用いると、メガネ型のフィルターを装着していなくても容易にＯＳＤ画像の文字を視認できるという利点があり、メガネ型のフィルターを外してリモコン５を操作する場合には特に好適である。また、メガネ型のフィルターを装着している人も勿論ＯＳＤ画像を良好に視認できる。図７Ｄの表示態様は、立体映像の投射中にプロジェクター１の動作に係る設定等を行う場合に有用である。
図７Ｄに示す画面では、左目用ＯＳＤ画像３１を用いているため文字が右側によっているので、図７Ｅに示すように、文字を中央に位置させるよう補正してもよい。
【手続補正４】
【補正対象書類名】明細書
【補正対象項目名】００４２
【補正方法】変更
【補正の内容】
【００４２】
また、ＯＳＤ画像を立体表示しない場合（ステップＳ１３；Ｎｏ）、画像読出部２３によりＯＳＤ画像用メモリー３から左目用ＯＳＤ画像３１のみが取得される（ステップＳ１９）。続いて、画像判定部２２の判定結果に基づいて、画像合成部２４により入力映像が立体映像か否かが判別され（ステップＳ２０）、入力映像が立体映像である場合には入力映像の左目用のフレームと右目用のフレームにそれぞれ左目用ＯＳＤ画像３１が重畳される（ステップＳ２１）。一方、入力映像が立体映像でない場合（ステップＳ２０；Ｎｏ）、画像合成部２４により入力映像に左目用ＯＳＤ画像３１が重畳される（ステップＳ２２）。その後、ステップＳ１８において、画像合成部２４で合成された画像が液晶パネル駆動部１７に入力され、液晶パネル駆動部１７によって液晶パネル４２に描画され、スクリーンＳＣに投射される。
【手続補正５】
【補正対象書類名】明細書
【補正対象項目名】００４５
【補正方法】変更
【補正の内容】
【００４５】
また、画像判定部２２は、一対の左目用のフレームと右目用のフレームとが交互に入力映像として入力される場合に、この交互に入力される画像について左目用のフレームか右目用のフレームかを判定し、画像合成部２４は、画像判定部２２により判定された左目用のフレームには左目用ＯＳＤ画像３１を重畳し、画像判定部２２により判定された右目用のフレームには右目用ＯＳＤ画像３２を重畳して、立体表示画像を生成するので、交互に入力される左目用のフレームと右目用のフレームとを確実に区別し、左目用ＯＳＤ画像３１と右目用ＯＳＤ画像３２を適切に重畳して表示できる。
また、画像合成部２４は、入力映像が平面画像である場合に、この平面画像を複製して同一内容の２つの画像を生成し、その一方を左目用のフレーム、他方を右目用のフレームとして取得するので、入力映像が平面画像であっても、ＯＳＤ画像を立体表示することができ、ＯＳＤ画像を効果的に表示することができる。
さらに、ＯＳＤ画像用メモリー３は、左目用ＯＳＤ画像３１と右目用ＯＳＤ画像３２とを予め記憶し、画像読出部２３は、予め記憶した左目用ＯＳＤ画像３１と右目用ＯＳＤ画像３２とを読み出して重畳するので、ＯＳＤ画像を重畳する処理を速やかに実行できる。
また、画像判定部２２の判定結果に基づいて、画像合成部２４により入力映像が立体映像か否かを判別した結果、入力画像が平面画像であった場合は、ＯＳＤ画像用メモリー３に記憶された左目用ＯＳＤ画像３１を読み出して、入力画像に重畳して表示するので、予めＯＳＤ画像を立体表示するために記憶された左目用ＯＳＤ画像３１を用いて平面のＯＳＤ画像を表示できる。
【手続補正６】
【補正対象書類名】図面
【補正対象項目名】図５
【補正方法】変更
【補正の内容】
【図５】
2012109829.tif 000001